(57)【要約】      （修正有）【課題】システム手帳用紙と共に、システム手帳本体内に綴じ込まれたスマートフォンを、実用的に活用できる多機能化したシステム電子手帳を提供する。【解決手段】裏面シート部材２Ｂの内側表面にスマートフォン本体１１を保持したスマートフォン保持部７を形成した。スマートフォン保持部を折り返し自在の板状のスマートフォン取付部材１４上に取り付け、システム手帳本体を開いた状態でスマートフォン取付部材を折り返すことにより、スマートフォン保持部に保持されたスマートフォンを裏面シート部材の外側位置に取り出して使用してもよい。【選択図】図１
0003195687.tif 000002
【実用新案登録請求の範囲】
【請求項１】
表面シート部材及び裏面シート部材間にバインダによってシステム手帳用紙を綴った構成のシステム手帳本体を有し、
上記システム手帳本体の上記裏面シート部材の内側表面に、スマートフォン本体を保持するスマートフォン保持部を形成することによって上記裏面シート部材及び上記システム手帳用紙間に上記スマートフォン保持部を上記システム手帳本体内に綴じ込み、これによりユーザが、上記スマートフォン本体を上記システム手帳本体と共に身近な所持品として所持すると共に、必要に応じて上記システム手帳本体を開いて上記システム手帳用紙を使用しながら上記スマートフォン本体を用いた情報処理操作を行う
ことを特徴とするシステム電子手帳。
【請求項２】
上記スマートフォン保持部は折り返し自在の板状のスマートフォン取付部材上に取り付けられ、ユーザは、上記システム手帳本体を開いた状態で上記スマートフォン取付部材を折り返すことにより上記スマートフォン保持部に保持された上記スマートフォンを上記裏面シート部材の外側位置に取り出した状態で当該スマートフォン本体を情報処理動作を行わせることができる
ことを特徴とする請求項１に記載のシステム電子手帳。
【請求項３】
上記システム手帳本体の上記表面シート部材の内側表面に、カードを差込み又は引き出しできるカード保持スリットを有するカードケースを形成した
ことを特徴とする請求項１又は２に記載のシステム電子手帳。
【請求項４】
上記システム手帳本体の上記表面シート部材の内側表面に、財布部材を形成した
ことを特徴とする請求項１又は２に記載のシステム電子手帳。
【請求項５】
上記システム手帳本体の上記表面シート部材の内側表面に、当該表面シート部材に縫製糸によって縫いつけられた縫製材でなるバッテリソフトケースを有する予備バッテリ保持部を形成した
ことを特徴とする請求項１又は２に記載のシステム電子手帳。
【請求項６】
上記システム手帳本体の上記表面シート部材の内側表面に、補助電子機器を保持した補助電子機器保持部を形成した
ことを特徴とする請求項１又は２に記載のシステム電子手帳。
【請求項７】
上記スマートフォンを上記裏面シート部材の外側に取り出した状態において、当該スマートフォン本体のカメラ機能を実行させる
ことを特徴とする請求項２に記載のシステム電子手帳。
【請求項８】
上記裏面シート部材において、上記スマートフォン保持部に保持された上記スマートフォン本体のカメラレンズに対向する位置に、カメラ用透孔が設けられ、上記カメラ用透孔を介して上記スマートフォン本体のカメラ機能を実行させる
ことを特徴とする請求項１に記載のシステム電子手帳。
【考案の詳細な説明】
【技術分野】
【０００１】
本考案はシステム電子手帳に関し、特にスマートフォンの電子情報を一段と実用的に活用できるようにしようとするものである。
【背景技術】
【０００２】
従来、システム電子手帳として、複数のシート状ないし板状のバインダ部材に電子情報処理部を構成する複数の電子情報処理部材を分割して配設させて、バインダ型のシステム手帳本体部に綴り込んだ構成のものが提案されている（特許文献１ないし３参照）。
【先行技術文献】
【特許文献】
【０００３】
【特許文献１】特開平３−９８１５１号公報
【特許文献２】特開平３−１１８１９６号公報
【特許文献３】実用新案登録第３１４５４２０号公報
【考案の概要】
【考案が解決しようとする課題】
【０００４】
ところが、この種の従来のシステム電子手帳は、電子情報処理部材を複数のバインダ部材に分割して配設させているから、ユーザが電子情報処理部の処理操作を行う際に、複数のバインダ部材を交換しながら処理操作をしなければならないため、当該電子情報処理部の情報処理機能を十分に活用できない問題点がある。
【０００５】
本考案は以上の点を考慮してなされたもので、ユーザがスマートフォンを身近な所持品として実用的に活用できるようにしようとしたものである。
【課題を解決するための手段】
【０００６】
かかる課題を解決するため本考案においては、表面シート部材２Ａ及び裏面シート部材２Ｂ間にバインダ３によってシステム手帳用紙５、６を綴った構成のシステム手帳本体２を有し、システム手帳本体２の裏面シート部材２Ｂの内側表面に、スマートフォン本体１１を保持するスマートフォン保持部７を形成することによって裏面シート部材２Ｂ及びシステム手帳用紙５、６間にスマートフォン保持部７をシステム手帳本体２の部材として綴じ込み、これによりユーザが、スマートフォン本体１１をシステム手帳本体２と共に身近な所持品として所持すると共に、必要に応じてシステム手帳本体２を開いてシステム手帳用紙５、６を使用しながらスマートフォン本体１１を用いた情報処理操作を行うようにする。
【考案の効果】
【０００７】
本考案によれば、裏面シート部材の内側表面にスマートフォン本体を保持したスマートフォン保持部を形成したことにより、ユーザは裏面シート部材及び表面シート部材間にシステム手帳用紙と共に、システム手帳本体内に綴じ込まれたスマートフォン本体を、身近な所持品として一段と実用的に活用できる。  
【図面の簡単な説明】
【０００８】
【図１】本考案によるシステム電子手帳の第１の実施の形態を示す斜視図である。
【図２】図１のスマートフォン保持部７の詳細構成を示す分解斜視図である。
【図３】第２の実施の形態を示す斜視図である。
【図４】第３の実施の形態を示す斜視図である。
【図５】第４の実施の形態を示す斜視図である。
【図６】第５の実施の形態を示す斜視図である。
【図７】図６の補助電子機器保持部４５の詳細構成を示す分解斜視図である。
【考案を実施するための形態】
【０００９】
以下図面について、本考案の一実施の形態を詳述する。
【００１０】
（１）第１の実施の形態
図１において、１は全体としてシステム電子手帳を示し、システム手帳本体２の表面シート部材２Ａ及び裏面シート部材２Ｂの接合位置に設けられたバインダ３の複数例えば６本の開閉式リング４に、カレンダ予定記入用紙５及びノート記入用紙６でなるシステム手帳用紙がめくり自在に綴り込まれている。
【００１１】
表面シート部材２Ａ及び裏面シート部材２Ｂは矩形シート状の合成樹脂材料でなる縫製品（縫製糸で縫い合わせることができる素材の部材でなる）によって構成され、バインダ３が設けられている接合部位置において表面シート部材２Ａ及び裏面シート部材２Ｂの内側表面をカレンダ予定記入用紙５及びノート記入用紙６側に向けて閉じたり開いたりすることにより、システム手帳本体２が手帳機能を実現できるようになされている。
【００１２】
裏面シート部材２Ｂの内側表面上にはスマートフォン保持部７が形成されている。
【００１３】
スマートフォン保持部７は、図２（Ａ）に示すように、スマートフォン本体１１を裏面シート部材２Ｂの内側表面に着脱自在に保持するもので、市販のスマートフォン本体１１を嵌め込み保持するスマートフォンケース１２を有する。
【００１４】
スマートフォンケース１２は、市販のスマートフォン本体１１の外観形状に適合させるように、底面部１２Ａを平坦な長方形状に形成すると共に、周縁部１２Ｂをスマートフォン本体１１の周面に対向するようにほぼその厚みに適合する高さに立ち上げており、これによりスマートフォン本体１１をスマートフォンケース１２内に嵌め込み保持することができるようになされている。
【００１５】
周縁部１２Ｂの左右側部には切欠部１２Ｃ１及び１２Ｃ２が形成され、これによりユーザが切欠部１２Ｃ１及び１２Ｃ２を利用してスマートフォン本体１１を指で挟んで嵌め込んだり引き抜いたりできるようになされている。
【００１６】
この実施の形態の場合、スマートフォンケース１２は合成樹脂材料、特にポリカーボネイト材料で構成されており、ウレタンジェル材料で構成される粘着層材１３を裏面シート部材２Ｂに固着されたスマートフォン取付部材１４に取り外しができるように粘着保持されている。
【００１７】
この実施の形態の場合、スマートフォン取付部材１４は、厚さ方向に折返しできる縫製品で構成され、裏面シート部材２Ｂのバインダ３とは反対側の縁部が縫製糸１５によって裏面シート部材２Ｂの右側縁部に縫い付けられている。
【００１８】
その結果図２（Ｂ）に示すように、ユーザは、粘着層材１３によってスマートフォン取付部材１４にスマートフォンケース１２を粘着保持させた状態において、スマートフォン取付部材１４の折り返し機能を利用してスマートフォンケース１２を裏面シート部材２Ｂの外側に折り返すことにより、スマートフォンケース１２、従ってスマートフォン本体１１のカメラのレンズ１１Ａを裏面シート部材２Ｂの外側位置に折り返した状態でカメラ機能を実行することができるようになされている。  
【００１９】
この実施の形態の場合、スマートフォンケース１２の底面部１２Ａ及び裏面シート部材２Ｂには、スマートフォン本体１１のカメラのレンズ１１Ａに対向する位置にカメラ用透孔１２ＡＸ及び２ＢＸがそれぞれ穿設され、これによりユーザがスマートフォン本体１１を裏面シート部材２Ｂ上に保持した状態で、スマートフォン本体１１のカメラ機能を利用して裏面シート部材２Ｂの表面側の被写体を撮像できるようになされている。
【００２０】
またこの実施の形態の場合、表面シート部材２Ａのバインダ３が設けられている位置とは反対側の外側縁部には、横方向外方に突出する舌片形状の手帳閉め具１６が設けられ、その係合ボタン１６Ａを、裏面シート部材２Ｂの外表面端部に設けられた係合ボタンに係合させることにより、表面シート部材２Ａを裏面シート部材２Ｂに閉じた状態でユーザがシステム手帳本体２を身近な所持品として持ち運ぶと共に、係合状態を必要に応じてはずすことによりシステム手帳本体２のページを開くことができるようになされている。
【００２１】
以上の構成において、ユーザは、裏面シート部材２Ｂにスマートフォンケース１２を粘着層材１３によって粘着保持させると共に、スマートフォン本体１１を嵌め込ませてシステム手帳本体２を閉じた状態で常に身近なシステム電子手帳１としてスマートフォン本体１１を持ち運ぶことができ、従って必要なときにはシステム手帳本体２を開いてスマートフォン本体１１を操作することにより、カレンダ予定記入用紙５及びノート記入用紙６の記入事項を使いながらスマートフォン本体１１の電子処理機能を行わせることができる。
【００２２】
かくするにつき、システム手帳本体２を開いた状態でスマートフォン本体１１のカメラ機能を、カメラ用透孔１２ＡＸ及び２ＢＸを介して用いることができると共に、必要な場合には、スマートフォン取付部材１４を外側に折り返すことにより、スマートフォン本体１１を裏面シート部材２Ｂから外側に位置させた状態でスマートフォン本体１１のカメラ機能を使うことができる。
【００２３】
かくしてスマートフォンを従来の場合と比較して格段的に多機能化した状態で活用できる電子システムを実現し得る。
【００２４】
（２）第２の実施の形態
図３は第２の実施の形態を示すもので、図１及び図２との対応部分に同一符号を付して示すように、この場合も図１の場合と同様にして、裏面シート部材２Ｂの内側表面にスマートフォン保持部７が形成されている。
【００２５】
これに加えて図３の場合は、表面シート部材２Ａの内側表面にカードケース保持部２１が形成されている。
【００２６】
このカードケース保持部２１は、縫製品として合成皮革で構成されたカードケース２２が縫製糸２３によって表面シート部材２Ａの内側面上に縫い付けられており、かくしてカードケース２２の各カード保持スリット２４にカードを例えば上方から差し込み又は抜き取ることができるようになされている。
【００２７】
図３の構成において、システム手帳本体２の裏面シート部材２Ｂにスマートフォン保持部７によってスマートフォン本体１１が保持された状態において、ユーザはシステム手帳本体２の表面シート部材２Ａ及び裏面シート部材２Ｂを閉じて身近な所持品として常時所持して歩く。
【００２８】
そして必要に応じて、裏面シート部材２Ｂを開いてスマートフォン保持部７に保持されたスマートフォン本体１１によって情報処理操作をすることに加えて、カードを出し入れする場合には表面シート部材２Ａを開いてその出し入れをする。
【００２９】
かくして図３の構成によれば、ユーザはスマートフォン本体１１を身近な所持品として身に着けて歩くと共に、カードが必要なときには、当該身近な所持品であるシステム手帳本体２のカードケース保持部２１を利用して簡便にカードの出し入れをすることができる。
【００３０】
かくして図３の構成によれば、システム手帳本体２を一段と多様化して実用上効率よく使用できるシステム電子手帳１を実現できる。
【００３１】
（３）第３の実施の形態
図４は第３の実施の形態を示すもので、図１及び図２との対応部分に同一符号を付して示すように、同じようにスマートフォン取付部材１４（図２（Ｂ））を介して裏面シート部材２Ｂにスマートフォン保持部７を取り付けていることに加えて、表面シート部材２Ａの内側表面に合成皮革の縫製品でなる財布部材３０が縫製糸３１によって縫い付けられている。
【００３２】
図４の構成によれば、スマートフォン取付部材１４によって裏面シート部材２Ｂにスマートフォン保持部７を取り付けることに加えて、表面シート部材２Ａの内表面に合成皮革の縫製品でなる財布部材３０が縫製糸３１によって表面シート部材２Ａに縫い付けられている。
【００３３】
図４の構成によれば、システム手帳本体２に財布部材３０を形成するようにしたことにより、スマートフォン保持部７によって保持されているスマートフォン本体１１による情報処理機能に加えて財布を身近な所持品として所持できることにより、システム手帳本体２の機能を必要に応じて財布部材にまで活用できるようにしたことにより一段と多機能化したシステム電子手帳１を実現できる。
【００３４】
（４）第４の実施の形態
図５は第４の実施の形態を示すもので、図１及び図２との対応部分に同一符号を付して示すように、裏面シート部材２Ｂにスマートフォン保持部７を形成することに加えて、システム手帳本体２の表面シート部材２Ａの内側表面に予備バッテリ保持部３５を形成している。
【００３５】
予備バッテリ保持部３５は全体として変形可能な柔軟性をもった例えば合成皮革でなる縫製品で構成され、表面シート部材２Ａの内部表面上にバッテリソフトケース３６の下側面板部３７が縫製糸３８によって表面シート部材２Ａに縫い付けられている。
【００３６】
バッテリソフトケース３６の下側面板部３７の奥行端部は左側板部３６Ｌ及び右側板部３６Ｒより奥行方向に突出することにより蓋部３９を形成している。
【００３７】
蓋部３９の内側表面には第１の面ファスナ部材４０Ａが設けられ、これがバッテリソフトケース３６の表面板部３６Ｕの奥行端部上に設けられた第２の面ファスナ部材４０Ｂに係止されることにより、蓋部３９によってバッテリソフトケース３６内に収納された予備バッテリを脱落させないように保持できるようになされている。
【００３８】
この場合の第１の面ファスナ部材４０Ａ及び第２の面ファスナ部材４０Ｂは、面ファスナー、例えば「ベルクロ」（フック状の起毛とループ状の起毛とをからみ付かせる）材料で構成されている。
【００３９】
この実施の形態の場合、バッテリソフトケース３６の前端面には充電用コネクタ４１が設けられ、当該充電用コネクタ４１を介してバッテリソフトケース３６に収納された予備バッテリを充電できるようになされている。
【００４０】
図５の構成において、システム手帳本体２は裏面シート部材２Ｂに設けたスマートフォン保持部７によってスマートフォンを常時身近な所持品としてユーザが持ち運びできることに加えて、表面シート部材２Ａに予備バッテリを収納するバッテリソフトケース３６を有する予備バッテリ保持部３５を設けたことにより、スマートフォン保持部７に保持されたスマートフォンによってユーザが身近な所持品としてスマートフォンを活用できると共に、当該スマートフォンの電源をも予備バッテリ保持部３５によって身近な所持品として持ち運ぶことができる。
【００４１】
かくしてユーザが情報処理操作をする手段としてのスマートフォンをシステム手帳本体２と共に常時持ち運ぶことにより実用性が一段と多様なシステム電子手帳１を実現できる。
【００４２】
（５）第５の実施の形態
図６は第５の実施の形態を示すもので、図１及び図２との対応部分に同一符号を付して示すように、裏面シート部材２Ｂの内側表面にスマートフォン保持部７を設けることに加えて、表面シート部材２Ａの内側表面に補助電子機器保持部４５を形成する。
【００４３】
この実施の形態の場合、補助電子機器保持部４５は、図２のスマートフォン保持部７の構成部分の符号に添え字Ｙを付して図７に示すように、スマートフォン保持部７と同様に、スマートフォン本体１１Ｙをスマートフォンケース１２Ｙ、粘着層材１３Ｙ、スマートフォン取付部材１４Ｙを介して、表面シート部材２Ａに取り付けるようになされている。
【００４４】
図６及び図７の構成によれば、システム手帳本体２の裏面シート部材２Ｂに形成されたスマートフォン保持部７によって保持されたスマートフォンをシステム手帳本体２の本来の機能である身近な所持品としてユーザが持ち運ぶことができると共に、これに加えて表面シート部材２Ａに補助電子機器保持部４５としてスマートフォン本体１１Ｙを保持させるようにしたことにより、ユーザが身近な所持品として持ち運ぶ情報処理機能としての多様性が一段と大きいシステム電子手帳１を得ることができる。
【００４５】
（６）他の実施の形態
（６−１）図１ないし図７の実施の形態においては、裏面シート部材２Ｂに形成したスマートフォン保持部７として、スマートフォン本体１１をスマートフォンケース１２を用いて粘着層材１３に粘着保持させたようにしたが、これに代え、スマートフォンケース１２を省略してスマートフォン本体１１を粘着層材１３に直接粘着保持させるようにしても、上述の場合と同様の効果を得ることができる。
【００４６】
（６−２）上述の実施の形態においては、手帳閉め具１６を表面シート部材２Ａ側に設けるようにしたが、これに代え、裏面シート部材２Ｂ側に設けるようにしてもよい。
【００４７】
（６−３）図６及び図７の実施の形態の場合は、補助電子機器保持部４５として保持する補助電子機器としてスマートフォンを用いるようにした場合について述べたが、補助電子機器としてはこれに限らず例えばバッテリパックや、その他の電子機器を用いるようにしてもよい。
【００４８】
（６−４）上述の実施の形態においては、システム手帳用紙としてカレンダ予定用紙５及びノート記入用紙６を用いた場合について述べたが、これに代え、又はこれに加えて、他の表記用ないし筆記用用紙を用いた場合にも、本考案を適用し得る。
【００４９】
この場合当該他の電子機器に変更する場合にも、粘着層材１３Ｙによって保持すべき電子機器を取り外し自在に設けることができるので、当該変更を一段と容易に行うことができる。
【００５０】
（６−５）上述の実施の形態においては、図２においてスマートフォン保持部７について示したように、裏面シート部材２Ｂのスマートフォン本体１１のカメラのレンズ１１Ａに対応する位置に設けたカメラ用透孔２ＢＸを介してスマートフォン本体１１のカメラ機能を使用することができるようにしたが、これに代え、裏面シート部材２Ｂにはカメラ用透孔２ＢＸを設けずに、スマートフォン本体１１のカメラ機能を、図２（Ｂ）について上述したように、スマートフォン取付部材１４の折り返し機能を利用して実現するようにしても、上述の場合と同様の効果を得ることができる。
【産業上の利用可能性】
【００５１】
本考案はシステム手帳本体に情報処理機能を持たせるシステム電子手帳に利用できる。
【符号の説明】
【００５２】
１……システム電子手帳、２……システム手帳本体、２ＢＸ……カメラ用透孔、３……バインダ、４……開閉式リング、２Ａ、２Ｂ……表面、裏面シート部材、５……カレンダ予定記入用紙、６……ノート記入用紙、７……スマートフォン保持部、１１……スマートフォン本体、１２……スマートフォンケース、１２Ａ……底面部、１２Ｂ……周縁部、１２ＡＸ……カメラ用透孔、１３……粘着層材、１４……スマートフォン取付部材、１５……縫製糸、１６……手帳閉め具、１６Ａ……係合ボタン、２１……カードケース保持部、２２……カードケース、２３……縫製糸、２４……カード保持スリット、３０……財布部材、３１……縫製糸、３５……予備バッテリ保持部、３６……バッテリソフトケース、３８……縫製糸、４５……補助電子機器保持部。
【図１】
0003195687.tif 000003
【図２】
0003195687.tif 000004
【図３】
0003195687.tif 000005
【図４】
0003195687.tif 000006
【図５】
0003195687.tif 000007
【図６】
0003195687.tif 000008
【図７】
0003195687.tif 000009